(57)【要約】【課題】  簡単な構成を有する照明部により被写体の直接照明及び間接照明を行うことができる撮像装置を提供する。【解決手段】  撮像素子により撮像される被写体を直接照明する第１位置と間接照明する第２位置との間を移動可能な照明部６と、前記第２位置に位置した前記照明部６に対して対向配置される反射面１０ａを備えると共に、該照明部６を開放する開放位置と、該照明部６を遮蔽する遮蔽位置との間を移動可能な反射部材１０とを有し、前記照明部６が前記第２位置に位置し、且つ前記反射部材１０が前記開放位置に位置しているときには、前記照明部６から発光された照明光が前記反射面１０ａで反射されて前記被写体を前記間接照明する方向に導かれる。【選択図】  図２
2010145882.tif 000002
【特許請求の範囲】
【請求項１】
撮像素子により撮像される被写体を直接照明する第１位置と間接照明する第２位置との間を移動可能な照明部と、
前記第２位置に位置した前記照明部に対して対向配置される反射面を備えると共に、該照明部を開放する開放位置と、該照明部を遮蔽する遮蔽位置との間を移動可能な反射部材と、を有し、
前記照明部が前記第２位置に位置し、且つ前記反射部材が前記開放位置に位置しているときには、前記照明部から発光された照明光が前記反射面で反射されて前記被写体を前記間接照明する方向に導かれることを特徴とする撮像装置。
【請求項２】
前記照明部が、前記第１位置と前記第２位置との何れに存在するかを検出する第１検出部と、
前記反射部材が、前記開放位置と前記遮蔽位置との何れに存在するかを検出する第２検出部と、
前記第１検出部及び前記第２検出部による検出結果の少なくとも一方に基づいて、前記照明部による前記照明光の発光のオンオフを制御する発光制御部と、
を備えることを特徴とする請求項１記載の撮像装置。
【請求項３】
前記被写体の輝度を計測する測光部と、
前記照明部を前記第２位置から前記第１位置へ駆動せしめる駆動機構と、を更に有し、
前記駆動機構は、前記第２検出部による検出結果及び前記測光部による測光結果に基づいて、前記照明部の前記駆動を制御することを特徴とする請求項２記載の撮像装置。
【請求項４】
前記第２検出部により前記反射部材が前記開放位置に存在し、且つ前記測光結果が所定値以下である所定撮影条件の場合には、前記駆動機構は前記照明部の前記第１位置への駆動を禁止することを特徴とする請求項３記載の撮像装置。
【請求項５】
前記発光制御部は、前記所定撮影条件の場合には前記照明光の発光を許容して、前記被写体を前記間接照明することを特徴とする請求項４記載の撮像装置。
【請求項６】
前記反射部材が前記遮蔽位置に存在することを報知する報知手段を更に有することを特徴とする請求項４又は請求項５記載の撮像装置。
【請求項７】
前記反射部材は、前記第２位置に位置する前記照明部に対する前記反射面の角度を複数の角度に設定可能であることを特徴とする請求項１〜請求項６の何れか一項に記載の撮像装置。
【請求項８】
前記反射面の前記照明部に対する角度を検出可能な第２検出部を更に有することを特徴とする請求項７記載の撮像装置。
【発明の詳細な説明】
【技術分野】
【０００１】
本発明は、被写体を直接照明または間接照明する照明部を備えた撮像装置に関するものである。
【背景技術】
【０００２】
発光管と反射笠を有し、光の射出方向を前向きから上向きへ、または上向きから前向きへ回動可能に構成されている発光ユニットを備え、発光ユニットを回動させることにより被写体を直接照明する場合には光の射出方向を前向きに、被写体を間接照明する場合には光の射出方向を上向きに変更するカメラ（撮像装置）が提案されている（例えば、特許文献１参照）。
【特許文献１】特開平９−６１８９９号公報
【発明の開示】
【発明が解決しようとする課題】
【０００３】
ところで、上述の特許文献１記載のカメラにおいては、発光管を有する発光ユニットを回動させているため、回動する部分に発光管からの導線を敷設することとなり、導線が破損するおそれがあった。また、回動前後での発光管の位置が異なることから、回動前後での必要な導線の長さも異なるため、導線の配設が困難な場合があった。
【０００４】
本発明の目的は、簡単な構成を有する照明部により被写体の直接照明及び間接照明を行うことができる撮像装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の撮像装置は、撮像素子（１７）により撮像される被写体を直接照明する第１位置と間接照明する第２位置との間を移動可能な照明部（６）と、前記第２位置に位置した前記照明部（６）に対して対向配置される反射面（１０ａ）を備えると共に、該照明部（６）を開放する開放位置と、該照明部（６）を遮蔽する遮蔽位置との間を移動可能な反射部材（１０）とを有し、前記照明部（６）が前記第２位置に位置し、且つ前記反射部材（１０）が前記開放位置に位置しているときには、前記照明部（６）から発光された照明光が前記反射面（１０ａ）で反射されて前記被写体を前記間接照明する方向に導かれることを特徴とする。
【発明の効果】
【０００７】
本発明の撮像装置によれば、簡単な構成を有する照明部により被写体の直接照明及び間接照明を行うことができる。
【発明を実施するための最良の形態】
【０００８】
以下、図面を参照して、本発明の第１の実施の形態に係る電子カメラについて説明する。図１及び図２は、第１の実施の形態に係る電子カメラ１の外観を示す正面斜視図である。図１は後述する照明部６が閉じられている状態を示す図、図２は照明部６が被写体を直接的に照明する位置に配置されている状態を示す図である。
【０００９】
図１及び図２に示すように、電子カメラ１の正面中央部には、被写体からの光をカメラ内部に導く撮影レンズ２ａを備えたレンズユニット２が装着されている。また、電子カメラ１の上面には、被写体の撮像を指示する際に操作されるレリーズボタン３、撮影モードを切り替える際に操作される撮影モードダイアル４が設けられている。また、電子カメラ１の上面中央部には、被写体を撮像する際に、被写体を直接的または間接的に照明するための照明部６が設けられている。照明部６は、被写体を間接的に照明する位置（以下、間接照明位置という）と、被写体を直接的に照明する位置（以下、直接照明位置という）との間を移動可能に構成されている。即ち、照明部６を挟持している２つのアーム８ａ，８ｂの、照明部６を挟持していない端部を軸としてアーム８ａ，８ｂを回動させることにより、照明部６は、後述する反射部材１０の反射面１０ａに対向する位置（間接照明位置、図１参照）と、被写体方向に照明光を射出する位置（直接照明位置、図２参照）との間を移動する。照明部６の間接照明位置から直接照明位置への移動は、手動により行われ、例えば、図示しないボタンを押下することにより行われる。また、照明部６の直接照明位置から間接照明位置への移動は、手動により行われ、例えば、ユーザーが手で押し下げることにより行われる。
【００１０】
また、図２に示すように、照明部６はフレネルレンズ等により構成される光透過部６ａを備えており、照明部６の図示しない光源からの光は、光透過部６ａから射出し、被写体を直接的または間接的に照明する。即ち、照明部６が直接照明位置に位置している場合には、光透過部６ａから射出した光は、被写体を直接照明する。一方、照明部６が間接照明位置に位置している場合には、光透過部６ａから射出した光は、後述する反射部材１０の反射面１０ａにより反射され、更に天井等により反射され、被写体を間接照明する。
【００１１】
また、間接照明位置に位置した照明部６とレンズユニット２との間には、被写体を間接的に照明する際に用いられる反射部材１０が設けられている。反射部材１０は、図２に示すように、間接照明位置に位置した照明部６に対して対向配置され、反射シート等が貼付されている反射面１０ａを備えており、照明部６を遮蔽する位置（以下、遮蔽位置という）と、照明部６を開放する位置（以下、開放位置という）との間を移動可能に構成されている。
【００１２】
図３及び図４は、照明部６及び反射部材１０の構成を示す断面図である。図３は反射部材１０が遮蔽位置に、図４は反射部材１０が開放位置に位置している状態を示す図である。反射部材１０を電子カメラ１本体に対して回動させることにより、反射部材１０は、間接照明位置に位置した照明部６の光透過部６ａから射出する光を遮蔽する遮蔽位置（図３）と、光透過部６ａからの光を射出させる開放位置（図４）との間を移動する。反射部材１０の遮蔽位置と開放位置との間の移動は、手動（例えば、ユーザーの手）により行われる。なお、図４に示すように、照明部６が間接照明位置に位置し、反射部材１０が開放位置に位置している場合には、光透過部６ａから射出する照明光は、反射部材１０（反射面１０ａ）により反射されて、被写体を間接照明する方向（図中矢印方向）に導かれる。
【００１３】
また、図３及び図４に示すように、電子カメラ１は、反射部材１０が遮蔽位置に存在するか開放位置に存在するかを検出する反射部材開閉検出部１２を備えている。反射部材開閉検出部１２は、２枚のリーフスイッチ１２ａ，１２ｂを含んで形成されている。リーフスイッチ１２ａの一端は、反射部材１０に接続されており、反射部材１０が遮蔽位置に位置している場合には、図３に示すように、リーフスイッチ１２ａに設けられている接触部１３は、リーフスイッチ１２ｂに接触しない。一方、反射部材１０が開放位置に位置している場合には、図４に示すように、リーフスイッチ１２ａの一端が反射部材１０によりリーフスイッチ１２ｂ側に押されるため、接触部１３は、リーフスイッチ１２ｂに接触する。反射部材開閉検出部１２は、接触部１３がリーフスイッチ１２ｂに接触しているか否かにより反射部材１０が開放位置にあるか否かを検出し、検出結果を後述する制御部１５（図５参照）に対して出力する。
【００１４】
図５は、第１の実施の形態に係る電子カメラ１のシステム構成を示すブロック図である。図５に示すように、電子カメラ１は、マイクロプロセッサ等により構成され、電子カメラ１の各部を統括的に制御する制御部１５を備えており、制御部１５には、撮像素子１７、記録媒体１９、表示部２１、操作部２３、照明部６、照明部位置検出部２５、反射部材開閉検出部１２が接続されている。撮像素子１７は、ＣＣＤまたはＣＭＯＳ等により構成され、撮影レンズ２ａを介した被写体光を撮像して撮像信号を制御部１５に対して出力する。制御部２２は、撮像素子１７からの撮像信号からをアナログ信号からデジタル信号に変換し、デジタル信号から画像データを生成し、画像データに対して各種の画像処理（ホワイトバランス調正、色補正、階調補正等）を行い、画像処理された画像データを撮像日時、露出等の撮像に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で、図示しないバッファメモリに一時的に記憶させる。
【００１５】
記録媒体１９は、電子カメラ１に設けられたカードスロット（図示せず）に着脱可能に装着される可搬性を有する記録媒体であり、例えば、ＣＦカード、ＳＤカード、スマートメディア等が用いられる。記録媒体１９には、制御部１５によりバッファメモリから読み込まれた画像データ及び画像データに付加されている撮像に関する情報等が記録される。表示部２１は、電子カメラ１の背面部に配置されるＬＣＤ等により構成されるモニタを含んで構成されており、ライブビュー画像、記録媒体１９に記録されている画像データに基づく画像、及び撮像に関する種々の情報などを表示する。操作部２３は、電源をオン／オフする電源スイッチ、図１及び図２に示すレリーズボタン３、撮影モードダイアル４等を含んで構成されている。照明部位置検出部２５は、反射部材開閉検出部１２と同様の構成を有しており、２枚のリーフスイッチ同士が接触するか否かを検出することにより照明部６が間接照明位置に存在するか直接照明位置に存在するかを検出し、検出結果を制御部１５に対して出力する。
【００１６】
次に、図６に示すフローチャートを参照して、第１の実施の形態に係る電子カメラ１における被写体の撮像時の処理について説明する。
【００１７】
まず、制御部１５は、ユーザーによりレリーズボタン３が押下されたことを認識すると（ステップＳ１０）、照明部位置検出部２５による検出結果に基づいて、照明部６が直接照明位置に存在するか否かを判別する（ステップＳ１１）。照明部６が直接照明位置に存在しない、即ち間接照明位置に存在すると判別された場合には（ステップＳ１１、Ｎｏ）、制御部１５は、反射部材開閉検出部１２による検出結果に基づいて、反射部材１０が開放位置に存在するか否かを判別する（ステップＳ１２）。
【００１８】
照明部６が直接照明位置に存在すると判別された場合（ステップＳ１１、Ｙｅｓ）、または反射部材１０が開放位置に存在すると判別された場合（ステップＳ１２、Ｙｅｓ）には、制御部１５は、照明部６に対して発光するよう指示し、発光しつつ被写体を撮像素子１７により撮像する（ステップＳ１３）。一方、反射部材１０が開放位置に存在しない、即ち遮蔽位置に存在すると判別された場合には（ステップＳ１２、Ｎｏ）、制御部１５は、照明部６による照明光の発光をオフして、被写体を撮像素子１７により撮像する（ステップＳ１４）。
【００１９】
即ち、照明部６が直接照明位置に存在する場合には、被写体を直接照明して撮像する。また、照明部６が間接照明位置に存在し、反射部材１０が開放位置に存在する場合には、被写体を間接照明して撮像する。また、照明部６が間接照明位置に存在し、反射部材１０が遮蔽位置に存在する場合には、被写体を照明することなく撮像する。
【００２０】
第１の実施の形態に係る電子カメラによれば、間接照明位置及び直接照明位置に移動可能な照明部６及び遮蔽位置及び開放位置に移動可能な反射部材１０を備えているため、簡単な構成でありながら、照明部６が間接照明位置に位置し、反射部材１０が開放位置に位置しているときに、良好に被写体を間接照明しつつ撮像することができる。即ち、照明部６が備える光源部を移動や回動させることなく、間接照明による撮像を行うことができる。したがって、光源部を移動や回動させることにより生じうる光源部からの導線の破損を回避することができ、かつ導線の配設が容易になる。また、照明部６が間接照明位置に位置し、反射部材１０が開放位置に位置している場合には、照明部６から照明光を発光させないため、フレネルレンズ等により構成される光透過部６ａの破損（溶解）等を防止することができる。
【００２１】
次に、図面を参照して、本発明の第２の実施の形態に係る電子カメラについて説明する。図７は、第２の実施の形態に係る電子カメラ３０のシステム構成を示すブロック図である。図７に示すように、第２の実施の形態に係る電子カメラ３０は、第１の実施の形態に係る電子カメラ１に、測光部３２及び照明部駆動部３４を追加した構成を有している。したがって、第２の実施の形態に係る電子カメラ３０については、第１の実施の形態に係る電子カメラ１と同一の構成には同一の符号を用いて説明を行い、その説明を省略する。
【００２２】
測光部３２は、ユーザーによりレリーズボタン３が半押しされた後、制御部１５からの制御信号に従って、被写体の輝度を計測し、計測結果を制御部１５に対して出力する。また、照明部駆動部３４は、制御部１５からの制御信号に従って、照明部６を間接照明位置から直接照明位置へと駆動せしめる。即ち、照明部６の間接照明位置から直接照明位置への移動は、測光部３２により計測される輝度に基づいて、照明部駆動部３４の駆動により自動的に行われる。なお、照明部６の直接照明位置から間接照明位置への移動は、手動により行われ、例えば、ユーザーが手で押し下げることにより行われる。
【００２３】
次に、図８に示すフローチャートを参照して、第２の実施の形態に係る電子カメラ３０における被写体の撮像時の処理について説明する。
【００２４】
まず、制御部１５は、ユーザーによりレリーズボタン３が半押しされたことを認識すると（ステップＳ２０）、測光部３２による計測結果から被写体の輝度を取得する（ステップＳ２１）。次に、制御部１５は、ステップＳ２０において取得した被写体の輝度が所定値以下であるか否かを判別する（ステップＳ２２）。被写体の輝度が所定値以下と判別された場合には（ステップＳ２２、Ｙｅｓ）、制御部１５は、照明部位置検出部２５による検出結果に基づいて、照明部６が直接照明位置に存在するか否かを判別する（ステップＳ２３）。
【００２５】
照明部６が直接照明位置に存在しない、即ち間接照明位置に存在すると判別された場合には（ステップＳ２３、Ｎｏ）、制御部１５は、反射部材開閉検出部１２による検出結果に基づいて、反射部材１０が遮蔽位置に存在するか開放位置に存在するかを判別し、ユーザーに対して判別結果を報知する（ステップＳ２４）。即ち、反射部材１０の位置（反射部材１０が遮蔽位置に存在するか開放位置に存在するか）を報知する。例えば、表示部２１に、文字や記号等を用いてその旨の表示を行うことにより報知する。ユーザーは、反射部材１０の位置を報知されることにより、反射部材１０の位置の確認を行うことができる。そして、前回、間接照明による撮像を行い、反射部材１０を開放位置から遮蔽位置に移動させておらず、今回、間接照明による撮像を行わない場合等、誤って反射部材１０を開放位置に配置していた場合には、ユーザーは、反射部材１０を開放位置から遮蔽位置へ移動させることができる。また、今回、間接照明による撮像を行う予定であるにもかかわらず反射部材１０を開放位置に配置していなかった場合には、ユーザーは、反射部材１０を遮蔽位置から開放位置へ移動させることができる。
【００２６】
そして、ステップＳ２５における報知に対して、ユーザーにより反射部材１０の位置の確認済を示す操作（例えば、図示しない決定ボタン等の押下）がなされた後、制御部１５は、反射部材開閉検出部１２による検出結果に基づいて、反射部材１０が開放位置に存在するか否かを判別する（ステップＳ２５）。反射部材１０が開放位置に存在しない、即ち遮蔽位置に存在すると判別された場合には（ステップＳ２５、Ｎｏ）、制御部１５は、照明部駆動部３４に対して制御信号を出力し、照明部６を直接照明位置へ移動させる（ステップＳ２６）。即ち、照明部駆動部３４は、制御部１５からの制御信号に従って、照明部６を駆動させることにより照明部６を間接照明位置から直接照明位置へ移動させる。
【００２７】
次に、制御部１５は、ユーザーによりレリーズボタン３が全押しされたことを認識すると（ステップＳ２８）、照明部６に対して発光するよう指示し、発光しつつ被写体を撮像素子１７により撮像する（ステップＳ２９）。このとき、被写体は照明部６により直接照明されて、撮像素子１７により撮像される。また、ステップＳ２３において照明部６が直接照明位置に存在すると判別された場合にも（ステップＳ２３、Ｙｅｓ）、制御部１５は、ユーザーによりレリーズボタン３が全押しされると、照明部６により直接照明された被写体を撮像素子１７により撮像する（ステップＳ２８，Ｓ２９）。
【００２８】
また、ステップＳ２５において反射部材１０が開放位置に存在すると判別された場合には（ステップＳ２５、Ｙｅｓ）、制御部１５は、照明部６の間接照明位置から直接照明位置への駆動を禁止し、ユーザーによりレリーズボタン３が全押しされると、照明部６の発光を許容し、照明部６により間接照明された被写体を撮像素子１７により撮像する（ステップＳ２８，Ｓ２９）。
【００２９】
一方、ステップＳ２２において被写体の輝度が所定値より大きいと判別された場合には（ステップＳ２２、Ｎｏ）、制御部１５は、被写体を照明する必要はないと判断する。そして、ユーザーによりレリーズボタン３が全押しされたことを認識すると（ステップＳ３０）、照明部６による照明光の発光をオフして、被写体を撮像素子１７により撮像する（ステップＳ３１）。
【００３０】
第２の実施の形態に係る電子カメラによれば、間接照明位置に位置する照明部６に対して遮蔽位置と開放位置とに移動可能に構成されている反射部材１０を備えているため、照明部６が備える光源部を移動や回動させることなく、間接照明による撮像を行うことができる。また、被写体の輝度に応じて照明部６による照明光の発光の要否を自動で設定する場合においても、照明部６の位置や反射部材１０の位置に応じて、ユーザー所望の適切な照明方法（直接照明または間接照明）により被写体を照明しつつ撮像を行うことができる。
【００３１】
次に、図面を参照して、本発明の第３の実施の形態に係る電子カメラについて説明する。図９は、第３の実施の形態に係る電子カメラに設けられている照明部６及び反射部材４０の構成を示す断面図である。なお、第３の実施の形態に係る電子カメラは、第１または第２の実施の形態に係る電子カメラ１，３０が有する反射部材１０及び反射部材開閉検出部１２に代えて、図９に示す反射部材４０及び反射部材角度検出部４２を備えている点で異なるが、その他の点においては第１または第２の実施の形態に係る電子カメラ１，３０と同一の構成を有している。したがって、同一の構成についての説明を省略し、同一の構成には同一の符号を用いて説明を行う。
【００３２】
反射部材４０は、間接照明位置に位置した照明部６とレンズユニット２との間に設けられており、間接照明位置に位置した照明部６に対して対向配置される反射面４０ａを備えている。反射部材４０は、図３及び図４に示す反射部材１０と同様に、照明部６を遮蔽する遮蔽位置と、照明部６を開放する開放位置との間を移動可能に構成されており、間接照明位置に位置する照明部６に対する反射面４０ａの角度を複数の角度に（段階的に）設定可能に構成されている。即ち、反射部材４０は、図９の破線で示すように、照明部６に対する反射面４０ａの角度が異なる複数の開放位置に配置可能に構成されている。反射部材４０の開放位置、即ち照明部６に対する反射面４０ａの角度を変化させることにより、光透過部６ａから射出した照明光が反射部材４０（反射面４０ａ）に入射する角度、ひいては反射部材４０により反射される照明光の進行方向を変化させることができる。なお、反射部材４０の遮蔽位置と、複数の開放位置との間の移動は、手動（例えば、ユーザーの手）により行われる。
【００３３】
反射部材角度検出部４２は、反射部材４０が遮蔽位置にあるか開放位置にあるか、開放位置にある場合には反射部材４０（反射面４０ａ）の角度を検出する。反射部材角度検出部４２は、摺動スイッチ４２ａを含んで形成されており、摺動スイッチ４２ａに設けられている複数の接点を検出することにより、各接点に対応する反射部材４０の位置から、反射部材４０の遮蔽位置、反射部材４０が開放位置にある場合における反射部材４０の複数の角度を検出し、検出結果を制御部１５に対して出力する。
【００３４】
制御部１５は、測光部３２の測光結果等に基づいて、発光の要否、発光する必要がある場合には直接照明と間接照明との何れが適切か、間接照明が適している場合には何れの角度から被写体を照明するのが適切かを決定する。そして、反射部材角度検出部４２からの検出結果から、反射部材４０が適切な角度に設定されていない場合には、ユーザーに対してその旨を報知する。例えば、表示部２１に、その旨の表示を行い、反射部材４０の適切な角度を指示する。ユーザーは、反射部材４０の角度を報知されることにより、反射部材４０の角度の確認及び調整を行うことができる。そして、制御部１５は、反射部材角度検出部４２からの検出結果から、反射部材４０が適切な角度に調整されたことを確認した後、照明部６による照明光の発光をオンして、被写体を照明部６からの照明光により間接照明しつつ撮像素子１７により撮像する。
【００３５】
第３の実施の形態に係る電子カメラによれば、照明部６に対する反射面４０ａの角度を変化させることができる反射部材４０を備えているため、照明部６から射出され、反射部材４０により反射される照明光の進行方向を変化させることができる。よって、被写体の種類や状態、周囲の状態やユーザーの希望等に応じて被写体を間接的に照明する角度（方向）を変化させることができ、複数種類の間接照明による撮像を行うことができる。
【図面の簡単な説明】
【００３６】
【図１】第１の実施の形態に係る電子カメラの外観を示す正面斜視図である。
【図２】第１の実施の形態に係る電子カメラの外観を示す正面斜視図である。
【図３】第１の実施の形態に係る照明部及び反射部材の構成を示す断面図である。
【図４】第１の実施の形態に係る照明部及び反射部材の構成を示す断面図である。
【図５】第１の実施の形態に係る電子カメラのシステム構成を示すブロック図である。
【図６】第１の実施の形態に係る電子カメラにおいて被写体を撮像する際の処理について説明するためのフローチャートである。
【図７】第２の実施の形態に係る電子カメラのシステム構成を示すブロック図である。
【図８】第２の実施の形態に係る電子カメラにおいて被写体を撮像する際の処理について説明するためのフローチャートである。
【図９】第３の実施の形態に係る電子カメラに設けられている照明部及び反射部材の構成を示す断面図である。
【符号の説明】
【００３７】
１，３０…電子カメラ、２…レンズユニット、３…レリーズボタン、４…撮影モードダイアル、６…照明部、１０…反射部材、１２…反射部材開閉検出部、１５…制御部、１７…撮像素子、１９…記録媒体、２１…表示部、２３…操作部、２５…照明部位置検出部、３２…測光部、３４…照明部駆動部、４０…反射部材、４２…反射部材角度検出部。
【図１】
2010145882.tif 000003
【図２】
2010145882.tif 000004
【図３】
2010145882.tif 000005
【図４】
2010145882.tif 000006
【図５】
2010145882.tif 000007
【図６】
2010145882.tif 000008
【図７】
2010145882.tif 000009
【図８】
2010145882.tif 000010
【図９】
2010145882.tif 000011